(57)【特許請求の範囲】
【請求項１】
ヘルプモードが選択されたとき、表示モニタ上に第１の説明画面から第Ｎの説明画面（Ｎは、２以上の整数）までを順次表示するナビゲーション装置において、
前記表示モニタ上に表示されている説明画面を次の説明画面に切り替える早送りボタンと、
前記表示モニタ上に表示されている説明画面を前の説明画面に戻す巻き戻しボタンと、
前記第１の説明画面から前記第Ｎの説明画面における各説明画面ごとに、複数段階ある表示継続時間のうちいずれか一つの段階における表示継続時間を設定する表示継続時間設定手段と、
前記表示継続時間設定手段により設定された各説明画面ごとの表示継続時間を記憶しておく記憶手段と、
前記記憶手段に記憶されている説明画面ごとの表示継続時間に基づいて、前記表示モニタ上に該当する説明画面を表示させる表示制御手段とを備え、
前記早送りボタンが押下された場合、前記表示継続時間設定手段は、前記早送りボタンが押下された時点において表示されている説明画面の表示継続時間を１段階だけ短く設定し、且つ、前記記憶手段は、前記早送りボタンが押下された時点において表示されている説明画面の表示継続時間として、当該１段階だけ短く設定された表示継続時間を記憶し、
前記巻き戻しボタンが押下された場合、前記表示継続時間設定手段は、前記巻き戻しボタンが押下されたことにより巻き戻し表示された説明画面の表示継続時間を１段階だけ長く設定し、且つ、前記記憶手段は、前記巻き戻しボタンが押下されたことにより巻き戻し表示された説明画面の表示継続時間として、当該１段階だけ長く設定された表示継続時間を記憶する、
ことを特徴とするナビゲーション装置。
【請求項２】
請求項１に記載のナビゲーション装置において、
前記表示モニタ上に表示されている説明画面中のメニュー項目を順番にハイライト表示させる場合には、当該ハイライト表示させるメニュー項目の切り替えタイミングを、当該表示されている説明画面の表示継続時間に対応させることを特徴とするナビゲーション装置。
【発明の詳細な説明】
【技術分野】
【０００１】
本発明は、ナビゲーション装置に関する。
【背景技術】
【０００２】
道路地図や交通情報などの様々な情報を画面表示してユーザに提供する車載情報端末において、状況に応じて画面表示の切替時間を変化させるものが知られている。たとえば、道路交通情報通信システム（ＶＩＣＳ（登録商標））によって取得された交通情報（ＶＩＣＳ（登録商標）情報）をディスプレイに割り込み表示するナビゲーション装置において、走行地点の道路の種類や、経路誘導中であるか否かなどの状況に応じて、その割り込み表示時間を変化させるものが知られている（特許文献１）。
【先行技術文献】
【特許文献】
【０００３】
【特許文献１】特開２００２−２６７４６９号公報
【発明の概要】
【発明が解決しようとする課題】
【０００４】
ＶＩＣＳ（登録商標）によって取得されるＶＩＣＳ（登録商標）情報は、走行地点の道路の種類や経路誘導中であるか否かなどの状況が同じであっても、その内容やユーザの過去の経験の違いなどから、ユーザにとって必要な確認時間が常に同じとは限らない。しかし、特許文献１に開示されるナビゲーション装置では、ユーザにとって必要な確認時間を考慮せずにＶＩＣＳ（登録商標）情報の割り込み表示時間を変化させている。このように、従来の車載情報端末では、ユーザにとって必要な確認時間を考慮して画面表示の切替時間を変化させることができない。
【課題を解決するための手段】
【０００５】
本発明に係るナビゲーション装置は、ヘルプモードが選択されたとき、表示モニタ上に第１の説明画面から第Ｎの説明画面（Ｎは、２以上の整数）までを順次表示するナビゲーション装置において、前記表示モニタ上に表示されている説明画面を次の説明画面に切り替える早送りボタンと、前記表示モニタ上に表示されている説明画面を前の説明画面に戻す巻き戻しボタンと、前記第１の説明画面から前記第Ｎの説明画面における各説明画面ごとに、複数段階ある表示継続時間のうちいずれか一つの段階における表示継続時間を設定する表示継続時間設定手段と、前記表示継続時間設定手段により設定された各説明画面ごとの表示継続時間を記憶しておく記憶手段と、前記記憶手段に記憶されている説明画面ごとの表示継続時間に基づいて、前記表示モニタ上に該当する説明画面を表示させる表示制御手段とを備え、前記早送りボタンが押下された場合、前記表示継続時間設定手段は、前記早送りボタンが押下された時点において表示されている説明画面の表示継続時間を１段階だけ短く設定し、且つ、前記記憶手段は、前記早送りボタンが押下された時点において表示されている説明画面の表示継続時間として、当該１段階だけ短く設定された表示継続時間を記憶し、前記巻き戻しボタンが押下された場合、前記表示継続時間設定手段は、前記巻き戻しボタンが押下されたことにより巻き戻し表示された説明画面の表示継続時間を１段階だけ長く設定し、且つ、前記記憶手段は、前記巻き戻しボタンが押下されたことにより巻き戻し表示された説明画面の表示継続時間として、当該１段階だけ長く設定された表示継続時間を記憶する、ことを特徴とする。
【発明の効果】
【０００６】
本発明によれば、ナビゲーション装置において、ユーザの確認時間を考慮してその表示時間を変化させることができる。
【図面の簡単な説明】
【０００７】
【図１】本発明の第１の実施の形態によるナビゲーション装置の構成を示すブロック図である。
【図２】ＶＩＣＳ（登録商標）情報による簡易図形画像が割り込み表示された画面例である。
【図３】ＶＩＣＳ（登録商標）情報を割り込み表示するときのフローチャートである。
【図４】本発明の第２の実施の形態によるナビゲーション装置の構成を示すブロック図である。
【図５】キーワード入力画面の例である。
【図６】検索結果画面の例である。
【図７】検索結果画面においてメニュー項目を選択した後に表示される画面の例である。
【図８】操作手順に従って選択メニューの階層ごとの表示内容を連続的に表示するときに最初に表示される説明画面の例である。
【図９】図８の次に表示され説明画面の具体例である。
【図１０】図９の次に表示される説明画面の具体例である。
【図１１】メニュー選択モードにおいて実行されるフローチャートである。
【図１２】ヘルプモードにおいて実行される処理のフローチャートである。
【図１３】説明画面表示処理の内容を示すフローチャートである。
【発明を実施するための形態】
【０００８】
−第１の実施の形態−
本発明の第1の実施の形態について以下に説明する。本実施形態によるナビゲーション装置は図１に示す構成を有している。このナビゲーション装置は車両に搭載されており、推奨経路を探索して道路地図を表示することにより、自車両を目的地まで誘導する。また、ＶＩＣＳ（登録商標）センターから送信される渋滞情報など各種の道路交通情報（ＶＩＣＳ（登録商標）情報）を受信して、そのＶＩＣＳ（登録商標）情報を道路地図上に表示する。図１に示すナビゲーション装置１は、制御回路１１、ＲＯＭ１２、ＲＡＭ１３、現在地検出装置１４、画像メモリ１５、表示モニタ１６、入力装置１７、ＶＩＣＳ（登録商標）情報受信部１８およびディスクドライブ１９を有している。ディスクドライブ１９には、地図データが記録されたＤＶＤ−ＲＯＭ２０が装填される。
【０００９】
制御回路１１は、マイクロプロセッサおよびその周辺回路からなり、ＲＡＭ１３を作業エリアとしてＲＯＭ１２に格納された制御プログラムを実行することにより、後で説明するような各種の処理や制御を行う。現在地検出装置１４は、自車両の現在地を検出する装置であり、たとえば、自車両の進行方向を検出する振動ジャイロセンサ１４ａ、車速を検出する車速センサ１４ｂ、ＧＰＳ衛星からのＧＰＳ信号を検出するＧＰＳセンサ１４ｃ等の各種センサ類からなる。ナビゲーション装置１は、この現在地検出装置１４により検出される自車両の現在地に基づいて、後述する経路探索開始点を決定したり、自車位置を道路地図上に示したりすることができる。
【００１０】
画像メモリ１５は、表示モニタ１６に表示するための画像データを一時的に格納する。この画像データは、道路地図を表示するための道路地図描画用データや各種の図形データ等からなり、ＤＶＤ−ＲＯＭ２０に記録されている地図データや、後で説明するＶＩＣＳ（登録商標）情報受信部１８により受信したＶＩＣＳ（登録商標）情報に基づいて、制御回路１１において作成される。制御回路１１により作成された画像データが画像メモリ１５に出力されることによって、表示モニタ１６に道路地図が表示され、さらに、その道路地図上に様々な道路交通情報が表示される。
【００１１】
入力装置１７は、車両の目的地や経由地（以下、これらを合わせて単に目的地という）をユーザが設定したりするための各種入力スイッチを有している。この入力装置１７は、操作パネルやリモコンなどによって実現される。ユーザは、表示モニタ１６に表示される画面指示に従って入力装置１７を操作することにより、地名や地図上の位置などを指定して目的地を設定することができる。
【００１２】
ＶＩＣＳ（登録商標）情報受信部１８は、不図示のＶＩＣＳ（登録商標）情報センターからナビゲーション装置１に対して送信されるＶＩＣＳ（登録商標）情報を受信する。このＶＩＣＳ（登録商標）情報により、渋滞情報や通行規制情報、駐車場情報などの様々な道路交通情報がナビゲーション装置１に対して送信される。ＶＩＣＳ（登録商標）情報受信部１８において受信されたＶＩＣＳ（登録商標）情報は制御回路１１に出力され、前述したように制御回路１１において、そのＶＩＣＳ（登録商標）情報の内容を道路地図上に画像表示するための画像データが作成される。このようにして、受信されたＶＩＣＳ（登録商標）情報の内容が表示モニタ１６に画像表示される。
【００１３】
ＶＩＣＳ（登録商標）情報センターからナビゲーション装置１へのＶＩＣＳ（登録商標）情報の送信は、主に高速道路上に設置されている電波ビーコンや、主に一般道路上に設置されている光ビーコン、またはＦＭ多重放送によって行われる。電波ビーコンや光ビーコンは、その設置地点付近を通過する車両に対して、電波あるいは光（赤外線）により局所的にＶＩＣＳ（登録商標）情報を送信するものである。これに対して、ＦＭ多重放送では比較的広い地域に対してＶＩＣＳ（登録商標）情報を送信することができる。
【００１４】
ディスクドライブ１９は、装填されたＤＶＤ−ＲＯＭ２０より、道路地図を表示するための地図データを読み出す。この地図データには、ルート探索に用いられる経路計算データや、交差点名称および道路名称など、推奨経路に従って自車両を目的地まで誘導するために用いられる経路誘導データ、さらに道路を表す道路データなどが含まれている。また、河川や鉄道、地図上の各種施設等（ランドマーク）など、道路以外の地図形状を表す背景データなども地図データに含まれている。なお、道路データには各道路の道路区分（道路種別）を表すための道路区分データが含まれている。この道路区分により、たとえば高速道路や国道、県道などが表される。
【００１５】
道路データにおいて、道路区間を表す最小単位はリンクと呼ばれており、各道路は複数のリンクによって構成されている。リンク同士を接続している点はノードと呼ばれ、このノードはそれぞれに位置情報（座標情報）を有している。このノードの位置情報によって、リンク形状、すなわち道路の形状が決定される。なお、ここではＤＶＤ−ＲＯＭを用いた例について説明しているが、ＤＶＤ−ＲＯＭ以外の他の記録メディア、たとえばＣＤ−ＲＯＭやハードディスクなどより、地図データを読み出すこととしてもよい。
【００１６】
ユーザが入力装置１７を操作して目的地を設定すると、ナビゲーション装置１は、現在地検出装置１４により検出された現在地を経路探索開始点として、前述の経路計算データに基づいて所定のアルゴリズムの演算を行うことにより、現在地から目的地までのルート探索を行う。ルート探索の結果求められた推奨経路は、その表示形態、たとえば表示色などを変えることによって、他の道路とは区別して道路地図上に表される。これにより、ユーザは推奨経路を表示モニタ１６に表示された道路地図上において認識することができる。また、この推奨経路に従って自車両が走行できるよう、ナビゲーション装置１は、ユーザに対して画像や音声などによる進行方向指示を行うことにより、自車両を誘導する。このように、道路地図を表示して推奨経路に従って自車両を目的地まで誘導することにより、目的地までのルート案内が行われる。
【００１７】
上記のルート案内の際には、自車位置を示すための自車位置マークが道路地図上に表示される。この自車位置マークが自車両の走行に合わせて道路地図上を移動することにより、ユーザはどの地点を自車両が走行しているか知ることができる。この自車位置は、前述のように現在地検出装置１４によって検出される。
【００１８】
ナビゲーション装置１は、ＶＩＣＳ（登録商標）情報受信部１８によりＶＩＣＳ（登録商標）情報を受信すると、そのＶＩＣＳ（登録商標）情報の内容を表示モニタ１６に画像表示する。たとえば、道路上の渋滞箇所をその渋滞度合いに応じてオレンジ色や赤色で示したり、通行規制箇所を特定のマークを用いて示したりする。また、駐車場の空き状況に応じて色分けした駐車場マークを道路地図上の各駐車場の位置に表示することにより、駐車場情報の内容を表示する。このように、各種の道路交通情報が様々な表示マークを用いて道路地図上に表される。
【００１９】
なお、ＶＩＣＳ（登録商標）センターより送信されるＶＩＣＳ（登録商標）情報にはレベル１〜レベル３の３段階のレベルがあり、ＶＩＣＳ（登録商標）情報のレベルによって表示形態が異なる。レベル１の場合、文字によってＶＩＣＳ（登録商標）情報の内容が表される。たとえば、渋滞地点名や渋滞距離、ある地点間の所要時間などを表現した文章が、レベル１のＶＩＣＳ（登録商標）情報として表示される。レベル２のＶＩＣＳ（登録商標）情報は、簡易図形（道路線形を簡易的な図形で表したもの）を用いて表される。たとえば、特定の道路の渋滞箇所を赤やオレンジ色などによって簡易図形上に表した画像が、レベル２のＶＩＣＳ（登録商標）情報として表示される。レベル３のＶＩＣＳ（登録商標）情報は、道路地図と組み合わせることによって表される。すなわち、前述したような渋滞箇所や通行規制箇所、駐車場マークなどを道路地図上に表示することにより、レベル３のＶＩＣＳ（登録商標）情報の表示が行われる。
【００２０】
上記の３段階のＶＩＣＳ（登録商標）情報のうち、レベル１とレベル２のＶＩＣＳ（登録商標）情報については、受信されたときに所定時間だけ画面上に割り込み表示される。すなわち、道路地図の表示中にレベル１またはレベル２のＶＩＣＳ（登録商標）情報が受信されると、そのＶＩＣＳ（登録商標）情報による文字画像（レベル１）または簡易図形画像（レベル２）が道路地図上に重ねて表示される。こうしてＶＩＣＳ（登録商標）情報が割り込み表示されてから所定の表示時間が経過すると、道路地図上に表示されていた文字画像または簡易図形画像が画面から消され、元の道路地図画面に切り替えられる。
【００２１】
図２（ａ）は、ＶＩＣＳ（登録商標）情報の受信前に表示モニタ１６に表示されている道路地図画面の例を表している。ここでレベル２のＶＩＣＳ（登録商標）情報が受信され、そのＶＩＣＳ（登録商標）情報による簡易図形画像が割り込み表示されると、図２（ｂ）に示すような画面に切り替えられる。この画面では、符号３１に示す簡易図形画像が道路地図上に重ねて表示されている。簡易図形画像３１には、現在地から見た各進行方面に対してそれぞれ設定された各目標地点の地名、その各目標地点までの所要時間、道路名、路線番号などが表示されている。なお、簡易図形上のハッチング部分３２は、その方面へ向かう道路が渋滞していることを表している。
【００２２】
図２（ｂ）の画面に切り替えられてから所定の表示時間が経過すると、画面が再び図２（ａ）の画面に切り替えられる。なお、ここではレベル２のＶＩＣＳ（登録商標）情報によって簡易図形画像が割り込み表示された例を説明したが、レベル１のＶＩＣＳ（登録商標）情報により文字画像を割り込み表示する場合も同様である。
【００２３】
ナビゲーション装置１は、上記のようにしてレベル１のＶＩＣＳ（登録商標）情報による文字画像やレベル２のＶＩＣＳ（登録商標）情報による簡易図形画像を割り込み表示するときには、その画像に含まれる情報量に応じて表示時間を変化させる。情報量が多いときには割り込み表示する時間を長くし、情報量が少ないときには割り込み表示する時間を短くする。このようにすることで、ユーザにとって必要な確認時間を考慮して、ＶＩＣＳ（登録商標）情報による割り込み表示の時間を変化させることができる。
【００２４】
本実施形態においてＶＩＣＳ（登録商標）情報を割り込み表示するときに実行されるフローチャートを図３に示す。このフローチャートは制御回路１１において実行されるものであり、ＶＩＣＳ（登録商標）情報受信部１８によってレベル１またはレベル２のＶＩＣＳ（登録商標）情報が受信されたときに実行される。なお、レベル３のＶＩＣＳ（登録商標）情報が受信された場合は、前述のように渋滞情報などを道路地図と組み合わせて表示するための処理が実行され、図３のフローチャートは実行されない。
【００２５】
ステップＳ１０では、ＶＩＣＳ（登録商標）情報受信部１８によって受信されたＶＩＣＳ（登録商標）情報を制御回路１１において入力する。ステップＳ２０では、ステップＳ１０で入力されたＶＩＣＳ（登録商標）情報により、レベル１とレベル２のどちらのＶＩＣＳ（登録商標）情報を受信したか判定する。レベル１のＶＩＣＳ（登録商標）情報を受信した場合はステップＳ３０へ進み、レベル２のＶＩＣＳ（登録商標）情報を受信した場合はステップＳ３１へ進む。
【００２６】
ステップＳ２０からステップＳ３０へ進んだ場合、ステップＳ３０では、受信したレベル１のＶＩＣＳ（登録商標）情報に含まれる文字数、すなわち割り込み表示される文字画像における文字数が、予め定められた所定のしきい値以上であるか否かを判定する。所定のしきい値、たとえば２０文字以上であった場合は、ステップＳ４０へ進む。しきい値未満であった場合はステップＳ４１へ進む。
【００２７】
一方、ステップＳ２０からステップＳ３１へ進んだ場合、ステップＳ３１では、受信したレベル２のＶＩＣＳ（登録商標）情報、すなわち割り込み表示される簡易図形画像において、渋滞情報が含まれているか否かを判定する。渋滞情報が含まれている場合はステップＳ４０へ進み、渋滞情報が含まれていない場合はステップＳ４１へ進む。なお、渋滞情報が含まれている場合は、そのＶＩＣＳ（登録商標）情報によって表される簡易図形画像において、簡易図形上の対応部分が図２（ｂ）の符号３２に示すハッチング部分のように表示されることにより、渋滞の発生が示される。
【００２８】
ステップＳ４０とＳ４１では、割り込み表示するときの表示時間を設定する。ステップＳ４０では長い表示時間、たとえば５秒間の表示時間を設定し、ステップＳ４１では短い表示時間、たとえば３秒間の表示時間を設定する。このように、ステップＳ３０またはＳ３１の判定結果に応じて、長さの異なる２種類の表示時間のうちいずれかを設定する。ステップＳ４０またはＳ４１のいずれかを実行したら、ステップＳ５０へ進む。
【００２９】
ステップＳ５０では、受信したＶＩＣＳ（登録商標）情報による割り込み画像、すなわち、レベル１のＶＩＣＳ（登録商標）情報による文字画像またはレベル２のＶＩＣＳ（登録商標）情報による簡易図形画像を、表示モニタ１６に表示する。これにより、図２（ａ）から（ｂ）のような画面の切り替えが行われる。次のステップＳ６０では、ステップＳ５０で割り込み画像を表示してからの経過時間と、ステップＳ４０またはＳ４１で設定された表示時間とを比較することにより、割り込み表示の時間がタイムアウトしたか否かを判定する。経過時間が設定された表示時間以内である間は、ステップＳ５０へ戻って割り込み画像の表示を続ける。表示時間を越えるとステップＳ７０へ進み、表示した割り込み画像を消去する。これにより、図２（ｂ）から（ａ）のような画面の切り替えが行われる。ステップＳ７０を実行したら、図３のフローチャートを終了する。
【００３０】
以上説明した第１の実施の形態によれば、次の作用効果が得られる。
（１）受信したＶＩＣＳ（登録商標）情報に基づいて割り込み画像を表示する（ステップＳ５０）ことにより、図２（ｂ）の画面を表示モニタ１６に表示し、所定の表示時間の経過後に（ステップＳ６０）、その割り込み画像を消去する（ステップＳ７０）ことにより、図２（ａ）の画面に切り替える。このとき、図２（ｂ）の画面に含まれる割り込み画像の情報量に基づいて、長い表示時間と短い表示時間のいずれかを設定する（ステップＳ４０、Ｓ４１）ことにより、上記の表示時間を変化させることとした。このようにしたので、ユーザにとって必要な確認時間を考慮して画面表示の切替時間を変化させることができる。
【００３１】
（２）割り込み画像の情報量を文字の数とし、それに基づいて割り込み画像の表示時間を変化させることとした。すなわち、レベル１のＶＩＣＳ（登録商標）情報を受信した場合は、割り込み画像として表示される文字画像における文字数に基づいて、その表示時間を変化させることとした（ステップＳ３０）。このようにしたので、レベル１のＶＩＣＳ（登録商標）情報の受信時において、簡単な処理により画面表示の切替時間を適切に変化させることができる。
【００３２】
（３）割り込み画像の情報量を渋滞情報の量とし、それに基づいて割り込み画像の表示時間を変化させることとした。すなわち、レベル２のＶＩＣＳ（登録商標）情報を受信した場合は、割り込み画像として表示される簡易図形画像における渋滞箇所の数に基づいて、その表示時間を変化させることとした（ステップＳ３１）。このようにしたので、レベル２のＶＩＣＳ（登録商標）情報の受信時においても、簡単な処理により画面表示の切替時間を適切に変化させることができる。
【００３３】
なお、上記の実施の形態では、ステップＳ３０またはＳ３１の判定結果に応じてステップＳ４０とＳ４１のいずれかを実行することにより、長さの異なる２種類の表示時間のいずれかを設定することとした。しかし、３種類以上の表示時間を設定可能としてもよい。たとえば、レベル１のＶＩＣＳ（登録商標）情報を受信した場合に、文字数が１０文字未満であれば３秒、１０文字以上２０文字未満であれば５秒、２０文字以上であれば７秒の表示時間を設定することができる。また、レベル２のＶＩＣＳ（登録商標）情報を受信した場合に、渋滞情報がなければ３秒、渋滞箇所が１つであれば５秒、渋滞箇所が２つ以上であれば７秒の表示時間を設定することもできる。このように、レベル１のＶＩＣＳ（登録商標）情報の内容を表した文字画像における文字の数や、レベル２のＶＩＣＳ（登録商標）情報の内容を表した簡易図形画像における渋滞箇所の数に応じて、割り込み画像の表示時間を任意の値に変化させることができる。
【００３４】
また、上記の実施の形態では、レベル２のＶＩＣＳ（登録商標）情報を受信した場合、その渋滞箇所の数に基づいて、長い表示時間と短い表示時間のいずれかを設定することとしていた。しかし、この設定を渋滞状況に基づいて行ってもよい。すなわち、渋滞の度合いが高い（渋滞）場合は長い表示時間を設定し、渋滞の度合いが低い（混雑）場合は短い表示時間を設定することもできる。さらに、渋滞箇所の数と渋滞状況の組み合わせにより、表示時間を変化させることとしてもよい。
【００３５】
−第２の実施の形態−
本発明の第２の実施の形態について説明する。上記で説明した第１の実施の形態では、ＶＩＣＳ（登録商標）情報の割り込み表示時間を変化させる例について説明した。これに対して本実施形態では、メニュー項目の操作手順を説明するヘルプモードにおいて、その説明画面の表示切替時間を変化させる。その具体的な内容について、以下に説明する。
【００３６】
本実施形態によるナビゲーション装置２は、図４に示す構成を有しており、図１の第１の実施の形態によるナビゲーション装置１と比較すると、ＶＩＣＳ（登録商標）情報受信部１８の代わりにフラッシュメモリ４０が備えられている点以外は同じ構成である。フラッシュメモリ４０は、ナビゲーション装置２の電源がオフされてもその記憶内容を保持できる不揮発性のメモリである。このフラッシュメモリ４０は、後で説明するように各説明画面の表示切替時間を記憶するために設けられている。
【００３７】
本実施形態において、ユーザがナビゲーション装置２に対して所望の処理を実行させたいときには、メニューボタンを押してメニュー画面を呼び出し、メニュー選択モードに移行する。その後、メニュー画面において表示される選択メニューから、該当する処理に対応するメニュー項目を入力装置１７の操作によって選択する。すると、選択されたメニュー項目に対応する処理がナビゲーション装置２において実行される。
【００３８】
選択メニューは処理内容に応じて複数に階層化されているため、ユーザは各階層ごとにいずれかのメニュー項目を選択する必要がある。たとえば、目的地とする施設の名称を入力して目的地を設定したい場合は、メニュー画面から最初に「行き先の設定」を選択し、次に「５０音から」を選択する。すると、文字入力用の画面が表示され、そこで目的地の施設名称を入力することにより、該当する施設が目的地候補として検索される。この目的地候補の中から選択されたものが目的地に設定される。
【００３９】
なおナビゲーション装置２には、ユーザが操作手順を覚えていなくても目的とする処理を実行できるようにするためのヘルプモードが設けられている。ヘルプモードでは、ユーザが目的とする処理に関連するキーワードを入力することにより、その処理を選択するまでの操作方法が説明される。このヘルプモードにおけるナビゲーション装置２の動作内容について以下に説明する。
【００４０】
図５は、ヘルプモードにおいて最初に表示されるキーワード入力画面を示している。このキーワード入力画面では、ユーザが入力装置１７を操作してキーボードパネル２２の中に表示されている文字を順番に選択することにより、検索したい処理内容に関連するキーワードを入力する。たとえば、ルートに関する処理を検索したい場合には、「ルート」をキーワードとして入力する。入力されたキーワードは入力表示欄２１に表示され、ユーザが確認できるようになっている。
【００４１】
キーワードの入力を終えた後にユーザが検索ボタン２３を押すと、選択メニューの各メニュー項目の中から、入力されたキーワードに関連するものが検索される。上記のように「ルート」をキーワードとして入力した場合は、それに関連するメニュー項目、たとえば「ルート」の語句を含むメニュー項目が検索される。この検索結果はリスト表示され、図６に示すような検索結果画面が表示される。
【００４２】
図６の検索結果画面では、リスト表示された各メニュー項目の中のいずれかがハイライト表示され、そのメニュー項目をメニュー画面から選択するときのユーザの操作手順が文章によって説明される。このハイライト表示の部分は、入力装置１７の操作によってユーザが任意に移動できる。ここでは、「ルート」を検索キーワードにして検索されたリスト表示中の各メニュー項目のうち、符号２４に示す「ルートガイド」の部分がハイライト表示されている。そして、吹き出し表示部２５の中には、この「ルートガイド」を選択するときの操作手順の説明文章が表示されている。すなわち、図６の検索結果画面には、ユーザが「ルートガイド」を選択するときは、選択メニューから「メニュー」、「各種設定」、「ガイド設定」の順に選択すればよいことが表示されている。
【００４３】
図６の検索結果画面においてリスト中からいずれかのメニュー項目をユーザが選択すると、ヘルプモードが終了され、そのメニュー項目を選択メニューから選ぶときの画面にジャンプする。たとえば「ルートガイド」を選択すると、図７に示すような画面が表示される。この図７の画面において、ユーザが符号２６に示す「ルートガイド」の部分を選択することにより、ナビゲーション装置２においてルートガイド処理が実行される。なお、図７の画面にジャンプする際には、そのメニュー項目を選択するときの操作手順に従って、選択メニューの各階層ごとに表示される操作画面の内容を表した説明画面が連続的に表示される。この点については、後で詳しく説明する。
【００４４】
なお、図６の検索結果画面において操作手順を説明するための文章を表示する際には、同じ内容を音声出力することでユーザに通知してもよい。このようにすれば、ユーザは画面を見なくても操作手順を覚えることができる。あるいは、文章を表示せずに音声出力だけとしてもよい。
【００４５】
また、図６の検索結果画面において、選択メニューの各メニュー項目ごとに付されたそれぞれに固有のアイコンを操作手順の説明と合わせて表示することで、ユーザが操作手順を視覚的に覚えられるようにしてもよい。たとえば図６に示すように、操作手順の説明中の「メニュー」、「各種設定」および「ガイド設定」の部分に、それぞれ四角形、ひし形および円形のアイコンを表示する。そして、選択メニュー中でもこれと同じアイコンを各メニュー項目に付して表示する。このように、当該メニュー項目が選択されるまでに、選択メニューにおいて各階層ごとに選択される各メニュー項目にそれぞれ付されるアイコンをその操作手順に従って表示することにより、ユーザは操作手順をアイコンによって覚えることができる。なお、ここでいうアイコンとは、特定の図形、文字、記号などを用いて構成されるものであり、その絵柄はメニュー項目ごとに異なっている。
【００４６】
次に、検索結果画面において選択されたメニュー項目を選択メニューから選ぶときの画面にジャンプする際に、そのメニュー項目を選択するときの操作手順に従って連続的に表示される説明画面の具体例について説明する。たとえば、図５のキーワード入力画面でユーザが入力したキーワードによって「ＶＩＣＳ（登録商標）情報を利用」というメニュー項目が検索され、これが図６の検索結果画面において選択されたとする。この場合、図８の説明画面が最初に表示され、その後に図９、図１０の説明画面が順に連続的に表示される。なお、このときにたとえばハイライト表示されているメニュー項目を上から下に順に移動させるなど、実際の操作時の画面変化により近い表示内容とすることが好ましい。
【００４７】
図８の説明画面は、メニューボタンを押したときに最初に表示される操作画面（メニュー画面）の内容を示している。図９の説明画面は、図８の説明画面が表すメニュー画面において「ルートの確認」を選択したときに表示される操作画面の内容を示している。図１０の説明画面は、図９の説明画面が表す操作画面において「探索条件設定」を選択したときに表示される操作画面の内容を示している。これらの説明画面を連続的に表示することにより、「ＶＩＣＳ（登録商標）情報を利用」のメニュー項目を選択するときのユーザの操作手順がユーザに通知される。
【００４８】
実際の操作時には、図８〜１０の説明画面と同じ内容の操作画面が、上記のようなユーザの操作に応じて順番に表示される。そして、図１０の説明画面に対応する操作画面において、符号２７に示す「ＶＩＣＳ（登録商標）情報を利用」の部分が選択されると、ＶＩＣＳ（登録商標）情報を利用してルート探索を行うように、ナビゲーション装置２における探索条件の設定内容が変更される。
【００４９】
以上説明した図８〜１０の説明画面の切り替えはユーザの操作入力に応じて行われる。具体的には、入力装置１７に設けられた早送りボタン（図示省略）をユーザが押すことにより、次の説明画面へと切り替えられる。なお、入力装置１７には巻き戻しボタン（図示省略）も設けられており、これをユーザが押すと１つ前の説明画面に戻ることができる。たとえば、図９の説明画面が表示されているときに、早送りボタンが押されると図１０の説明画面に切り替えられ、巻き戻しボタンが押されると図８の説明画面に切り替えられる。また、いずれかの説明画面を表示してから所定の表示切替時間が経過した場合は、ユーザからの操作入力がなくても次の説明画面に切り替えられる。この表示切替時間は、ユーザの操作履歴に応じて次に説明するように変化させられる。
【００５０】
本実施形態によるナビゲーション装置２は、図８〜１０の各説明画面に対して、複数段階の表示切替時間がそれぞれ設定可能に構成されている。そして、早送りボタンが押されて次の説明画面に切り替えられた場合は、早送りした説明画面（切り替え前の説明画面）をユーザが確認するのに必要な確認時間が現状の表示切替時間よりも短いと判断して、その説明画面の表示切替時間を１段階短く設定する。逆に、巻き戻しボタンが押されて前の説明画面に切り替えられた場合は、巻き戻しした説明画面（切り替え後の説明画面）の確認時間が現状の表示切替時間よりも長いと判断して、その説明画面の表示切替時間を１段階長く設定する。こうして設定された表示切替時間の設定値はフラッシュメモリ４０に記憶され、次回の表示から用いられる。このようにして、説明画面の選択履歴に基づいて表示切替時間を設定する。
【００５１】
たとえば、表示切替時間を１〜５秒の間で１秒ごとに設定可能としておき、各操作画面の表示切替時間の初期値を３秒に設定する。そして、図９の説明画面が表示されているときに、早送りボタンが押されて図１０の説明画面に切り替えられた場合は、図９の説明画面に対する表示切替時間を初期値の３秒から２秒に変更する。さらに図９の説明画面において早送りボタンが押されたときには、表示切替時間を１秒とする。また、巻き戻しボタンが押されて図９の説明画面から図８の説明画面に切り替えられた場合は、図８の説明画面に対する表示切替時間を初期値の３秒から４秒に変更する。さらに図９の説明画面において巻き戻しボタンが押されたときには、表示切替時間を５秒とする。このように、ユーザの画面選択履歴に基づいて説明画面の表示切替時間を変化させることにより、ユーザにとって必要な確認時間を考慮して、説明画面の表示切替時間を変化させることができる。
【００５２】
なお、上記のように表示切替時間を変化させたときに、その説明画面においてカーソルの移動表示、たとえば前述のようにハイライト表示されているメニュー項目を上から下に順に移動させて表示することが行われている場合は、その移動表示速度も表示切替時間に合わせて変化させることが好ましい。さらに、表示切替時間が短いときには、途中の移動表示を省略してもよい。
【００５３】
本実施形態において制御回路１１により実行されるフローチャートを図１１および１２に示す。図１１はメニュー選択モードにおいて実行されるフローチャートであり、図１２はヘルプモードにおいて実行されるフローチャートである。以下、図１１のフローチャートから先に説明する。
【００５４】
ステップＳ１１０では、メニュー選択モードに移行し、図８の説明画面と同じ内容のメニュー画面を表示モニタ１６に表示させる。これにより、選択メニューが表示される。ステップＳ１２０では、ステップＳ１１０において表示した選択メニューからいずれかのメニュー項目がユーザによって選択されたか否かを判定する。いずれかのメニュー項目が選択された場合は、次のステップＳ１３０へ進む。選択されていない場合はステップＳ１１０へ戻り、選択メニューの表示を続ける。
【００５５】
ステップＳ１３０では、ステップＳ１２０で選択されたメニュー項目の次に続くメニュー項目があるか否かを判定する。前述のように選択メニューは複数に階層化されているため、選択されたメニュー項目が最下層のメニュー項目、すなわちそのメニュー項目を選択するとナビゲーション装置１において実行される処理が確定する場合は、次のメニュー項目がないものと判定する。そうでない場合は、次のメニュー項目があるものと判定する。次のメニュー項目があると判定した場合はステップＳ１４０へ進み、ないと判定した場合はステップＳ１５０へ進む。
【００５６】
ステップＳ１４０へ進んだ場合は、ステップＳ１２０で選択されたよりも一階層下のメニュー項目を表示モニタ１６に表示させる。このとき表示するメニュー項目の内容は、ステップＳ１２０におけるメニュー項目の選択結果に応じて、予め定められた選択メニューの階層化構造に従って決定される。たとえば、図８のように「行き先の設定」が選択された場合は、それより一階層下のメニュー項目として、「お気に入り」、「５０音から」、「施設から」、「電話番号から」、「住所から」および「最近の目的地から」の各メニュー項目が表示される。ステップＳ１４０を実行したらステップＳ１１０へ戻り、ステップＳ１１０においてそのメニュー項目を次の選択メニューとして表示した後、上記のような処理を繰り返す。このようにしてステップＳ１２０〜Ｓ１４０の処理を繰り返し実行することにより、選択メニューの各階層ごとにいずれかのメニュー項目をユーザの操作に応じて選択する。
【００５７】
一方、ステップＳ１５０へ進んだ場合は、ステップＳ１２０で最終的に選択されたメニュー項目に対応する処理を実行する。たとえば、「ＶＩＣＳ（登録商標）情報を利用」のメニュー項目がステップＳ１２０において選択されていた場合には、ＶＩＣＳ（登録商標）情報を利用してルート探索を行うように探索条件の設定内容を変更する。なお、このときの具体的な処理方法については、その処理内容に応じて周知の様々な方法を利用できるため、ここでは説明を省略する。ステップＳ１５０を実行した後は、図１１のフローチャートを終了する。以上説明したようにして、メニュー選択モードが実行される。
【００５８】
次に、ヘルプモードにおいて実行される図１２のフローチャートについて説明する。ステップＳ２１０では、図５のキーワード入力画面を表示モニタ１６に表示させる。次のステップＳ２２０では、ステップＳ２１０において表示したキーワード入力画面において、ユーザの操作によって何らかのキーワードが入力されたか否かを判定する。ユーザが検索ボタン２３を押した場合はキーワードの入力が完了したものと判定してステップＳ２３０へ進む。まだ検索ボタン２３が押されていない場合はキーワード入力が完了していないものと判定してステップＳ２１０へ戻り、キーワード入力画面の表示を続ける。
【００５９】
ステップＳ２３０では、ステップＳ２２０において入力されたキーワードにより、メニュー項目を検索するときの検索キーワードを設定する。ステップＳ２４０では、ステップＳ２３０において設定された検索キーワードを用いて、この検索キーワードに関連するメニュー項目を検索する。ステップＳ２５０では、ステップＳ２４０において検索キーワードに関連するメニュー項目が少なくとも１つ以上検索されたか否かを判定する。少なくとも１つ以上のメニュー項目が検索された場合はステップＳ２６０へ進む。そうでない場合、すなわち１つもメニュー項目が検索されなかった場合は、ステップＳ２１０へ戻ってユーザに再度キーワードを入力するように促す。
【００６０】
ステップＳ２６０では、ステップＳ２５０において検索された各メニュー項目を表示モニタ１６にリスト表示させる。なお、このときいずれかのメニュー項目をハイライト表示させる。これにより、図６に示すような検索結果画面が表示モニタ１６に表示される。次のステップＳ２７０では、ステップＳ２６０においてリスト表示された各メニュー項目のうち、ハイライト表示されたメニュー項目を選択するときの操作手順を、図６の吹き出し表示部２５のように文章によって表示モニタ１６に表示させる。これにより、ハイライト表示されているメニュー項目を選択メニューから選択するときのユーザの操作手順を通知する。
【００６１】
ステップＳ２８０では、画面にリスト表示されているメニュー項目におけるハイライト表示部分が、ユーザの操作によって移動されたか否かを判定する。移動された場合はステップＳ２７０へ戻り、移動後のハイライト表示部分にあるメニュー項目について、そのメニュー項目を選択するときの操作手順をステップＳ２７０により表示モニタ１６に表示させる。一方、ハイライト表示部分が移動されていない場合は、次のステップＳ２９０へ進む。
【００６２】
ステップＳ２９０では、リスト表示されているメニュー項目のうちいずれかのメニュー項目が選択されたか否かを判定する。たとえば、入力装置１７に備えられている決定ボタンがユーザによって押された場合は、そのときにハイライト表示されているメニュー項目が選択されたものと判定してステップＳ３００へ進む。一方、いずれのメニュー項目も選択されていない場合は、ステップＳ２７０へ戻って上記のような処理を繰り返す。
【００６３】
ステップＳ３００では、図８〜１０のような説明画面を表示モニタ１６に連続的に表示するための説明画面表示処理を行う。この説明画面表示処理は、図１３に示すフローチャートにより次のようにして実行される。
【００６４】
図１３のステップＳ３０１では、図１２のステップＳ２９０で選択されたメニュー項目をメニュー画面から選ぶときの操作手順に従って、表示すべき説明画面を選択する。すなわち、最初は図８の説明画面を選択し、その後は図９の説明画面、図１０の説明画面と順番に選択する。次のステップＳ３０２では、ステップＳ３０１で選択した説明画面に対する表示切替時間の設定値をフラッシュメモリ４０から読み出す。ステップＳ３０３では、ステップＳ３０２で読み出した設定値により、選択した説明画面の表示切替時間を設定する。
【００６５】
ステップＳ３０４では、ステップＳ３０１で選択した説明画面を表示モニタ１６に表示する。次のステップＳ３０５では、入力装置１７に設けられた早送りボタンがユーザによって押されたか否かを判定する。早送りボタンが押された場合はステップＳ３１０へ進み、押されなかった場合はステップＳ３０６へ進む。ステップＳ３０６では、入力装置１７に設けられた巻き戻しボタンがユーザによって押されたか否かを判定する。巻き戻しボタンが押された場合はステップＳ３１１へ進み、押されなかった場合はステップＳ３０７へ進む。
【００６６】
ステップＳ３０７では、ステップＳ３０４で説明画面を表示してからの経過時間と、ステップＳ３０３で設定された表示切替時間とを比較することにより、その説明画面の表示時間がタイムアウトしたか否かを判定する。経過時間が設定された表示切替時間以内である間は、ステップＳ３０４へ戻って説明画面の表示を続ける。表示切替時間を越えるとステップＳ３０８へ進む。
【００６７】
ステップＳ３０８では、次の説明画面、すなわち、ステップＳ３０４により現在表示している説明画面の次に表示すべき説明画面があるか否かを判定する。次の説明画面がある場合はステップＳ３０９へ進み、ステップＳ３０９で当該説明画面に切り替えた後、ステップＳ３０１へ戻る。この場合は、切り替え後の当該説明画面をステップＳ３０１において選択し、上記のような処理を繰り返す。すなわち、図８の説明画面を表示していた場合は、図９の説明画面をステップＳ３０１で選択してから、ステップＳ３０２以降の処理を実行する。同様に、図９の説明画面を表示していた場合は、図１０の説明画面をステップＳ３０１で選択してから、ステップＳ３０２以降の処理を実行する。
【００６８】
一方、ステップＳ３０９において次の説明画面がないと判定された場合は、図１３のフローチャートを終了する。すなわち、図１０の説明画面を表示していた場合は、次の説明画面がないため、図１３のフローチャートを終了する。これにより、図１２のステップＳ３００の説明画面表示処理が実行され、図１２のフローチャートが終了する。こうしてヘルプモードが実行される。
【００６９】
なお、ステップＳ３０５からＳ３１０へ進んだ場合、ステップＳ３１０では、選択した説明画面に対する表示切替時間を１段階短く設定する。この設定履歴はフラッシュメモリ４０によって記憶され、次回からはその１段階短い表示切替時間が用いられる。こうしてステップＳ３１０を実行したら、ステップＳ３０８へ進む。なお、既に設定可能な一番短い表示切替時間となっていた場合は、ステップＳ３１０を実行せずにそのままステップＳ３０８へ進む。
【００７０】
また、ステップＳ３０６からＳ３１１へ進んだ場合、ステップＳ３１１では、選択した説明画面に対する表示切替時間を１段階長く設定する。この設定履歴はフラッシュメモリ４０によって記憶され、次回からはその１段階長い表示切替時間が用いられる。こうしてステップＳ３１１を実行したら、次のステップＳ３１２へ進む。なお、既に設定可能な一番長い表示切替時間となっていた場合は、ステップＳ３１１を実行せずにそのままステップＳ３１２へ進む。
【００７１】
ステップＳ３１２では、１つ前の説明画面に切り替える。ステップＳ３１２を実行したらステップＳ３０１へ戻り、切り替え後の当該説明画面をステップＳ３０１において選択し、上記のような処理を繰り返す。すなわち、図９の説明画面を表示していた場合は、図８の説明画面をステップＳ３０１で選択してから、ステップＳ３０２以降の処理を実行する。同様に、図１０の説明画面を表示していた場合は、図９の説明画面をステップＳ３０１で選択してから、ステップＳ３０２以降の処理を実行する。なお、図８の説明画面を表示していた場合は、１つ前の説明画面がないため、そのまま図８の説明画面をステップＳ３０１で選択してから、ステップＳ３０２以降の処理を実行することとしてもよい。
【００７２】
以上説明した第２の実施の形態によれば、次の作用効果が得られる。
（１）ヘルプモードにおいて、操作手順に従って説明画面を表示モニタ１６に表示し（ステップＳ３０４）、設定された表示切替時間の経過後に（ステップＳ３０７）、次の説明画面に切り替える（ステップＳ３０９）。また、入力装置１７に設けられた早送りボタンや巻き戻しボタンを押すことにより（ステップＳ３０５、Ｓ３０６）、表示切替時間に関わらず前後いずれかの説明画面を選択可能とした（ステップＳ３０９、Ｓ３１２）。そして、この説明画面の選択履歴に基づいて、表示切替時間を変化させる（ステップＳ３１０、Ｓ３１１）こととした。このようにしたので、第１の実施の形態と同様に、ユーザにとって必要な確認時間を考慮して画面表示の切替時間を変化させることができる。
【００７３】
（２）いずれかの説明画面が表示モニタ１６に表示されているときに、早送りボタンが押されて（ステップＳ３０５）次の説明画面が選択された場合、ステップＳ３１０により表示切替時間を１段階短く設定する。この設定値がステップＳ３０２において読み出され、ステップＳ３０３において表示切替時間が設定される。すなわち、過去にいずれかの説明画面が表示されているときに、早送りボタンが押されて次の説明画面が選択されていた場合は、その説明画面に対する表示切替時間をステップＳ３０３において短くする。このようにしたので、画面表示の切替時間を適切に変化させることができる。
【００７４】
（３）いずれかの説明画面が表示モニタ１６に表示されているときに、巻き戻しボタンが押されて（ステップＳ３０６）前の説明画面が選択された場合、ステップＳ３１１により表示切替時間を１段階長く設定する。この設定値がステップＳ３０２において読み出され、ステップＳ３０３において表示切替時間が設定される。すなわち、過去にいずれかの説明画面が表示されているときに、巻き戻しボタンが押されて前の説明画面が選択されていた場合は、その前の説明画面に対する表示切替時間をステップＳ３０３において長くする。このようにしたことでも、画面表示の切替時間を適切に変化させることができる。
【００７５】
なお、以上説明した第２の実施の形態では、ユーザによる早送りボタンや巻き戻しボタンの操作によって表示切替時間を変化させていたが、これに第１の実施の形態で説明したような画面内に含まれる情報量に基づいた表示切替時間の変化を組み合わせてもよい。たとえば、表示された説明画面に含まれる文字数やメニュー項目数などに応じて、表示切替時間を変化させることができる。
【００７６】
上記の各実施の形態では、ＶＩＣＳ（登録商標）情報の割り込み表示やヘルプモードにおける説明画面の表示を例に説明したが、これ以外の画面表示でも、所定の表示時間が経過することによって表示内容が切り替わるものについては本発明を適用することができる。たとえば、推奨経路の設定時などに所定時間表示される警告画面や、登録地の設定時または名称変更時などに所定時間表示される確認画面などにも適用することができる。この場合、警告画面や確認画面に含まれる文字数などの情報量、または、ユーザの操作入力による警告画面や確認画面から違う画面への画面選択履歴に基づいて、その表示時間を変化させることができる。
【００７７】
以上説明した各実施の形態や各種の変形例はあくまで一例であり、発明の特徴が損なわれない限り、本発明はこれらの内容に限定されない。
【符号の説明】
【００７９】
１、２  ナビゲーション装置          １１  制御回路
１２  ＲＯＭ                      １３  ＲＡＭ
１４  現在地検出装置              １５  画像メモリ
１６  表示モニタ                  １７  入力装置
１８  ＶＩＣＳ（登録商標）情報受信部          １９  ディスクドライブ
２０  ＤＶＤ−ＲＯＭ              ４０  フラッシュメモリ
【図１】
0005404737.tif 000002
【図２】
0005404737.tif 000003
【図３】
0005404737.tif 000004
【図４】
0005404737.tif 000005
【図５】
0005404737.tif 000006
【図６】
0005404737.tif 000007
【図７】
0005404737.tif 000008
【図８】
0005404737.tif 000009
【図９】
0005404737.tif 000010
【図１０】
0005404737.tif 000011
【図１１】
0005404737.tif 000012
【図１２】
0005404737.tif 000013
【図１３】
0005404737.tif 000014